(57)【要約】【課題】物品と等価の遊技媒体数が整数でない場合にも、遊技媒体と物品の適正な交換を実現すること。【解決手段】端数レシート発行部２０３は、端数検出部２０８によって検出される端数が記録された端数レシートを発行する。遊技媒体返却部２０４は、遊技媒体受付部２０１によって受け付けられた遊技媒体のうちタバコとの交換に利用されなかった遊技媒体を遊技客へ返却する。交換制御部２０６は、タバコ交換が行われた旨の交換信号が接続部２０７によって受信されると、遊技媒体受付部２０１によって受け付けられた遊技媒体数からタバコと等価な遊技媒体数を減算し、余剰の遊技媒体数を端数検出部２０８へ出力する。端数検出部２０８は、交換制御部２０６から余剰の遊技媒体数が出力されると、この遊技媒体数に含まれる小数部分の端数を検出し、得られた端数を端数レシート発行部２０３へ出力する。【選択図】        図３
2008073250.tif 000002
【特許請求の範囲】
【請求項１】
遊技媒体と物品の交換を管理する交換管理装置であって、
遊技媒体を受け付ける受付手段と、
前記受付手段によって受け付けられた遊技媒体数から交換対象の物品と等価な遊技媒体数を減算する交換制御手段と、
前記交換制御手段によって得られる減算結果から小数点以下を含む端数を検出する検出手段と、
前記検出手段によって検出された端数の遊技媒体数を特定可能な記録媒体を発行する発行手段と
を有することを特徴とする交換管理装置。
【請求項２】
前記検出手段は、
前記交換制御手段によって得られる減算結果から１未満の端数を検出することを特徴とする請求項１記載の交換管理装置。
【請求項３】
前記交換制御手段によって得られる減算結果のうち前記検出手段によって検出される端数以外の整数部分に相当する遊技媒体を返却する返却手段をさらに有することを特徴とする請求項１記載の交換管理装置。
【請求項４】
前記受付手段によって受け付けられた遊技媒体数および交換対象の物品と等価な遊技媒体数を表示する表示手段をさらに有することを特徴とする請求項１記載の交換管理装置。
【請求項５】
前記表示手段は、
交換対象の物品と等価な遊技媒体数が小数点以下を含む場合に、この遊技媒体数より大きい最小の整数を表示することを特徴とする請求項４記載の交換管理装置。
【請求項６】
遊技媒体と物品の交換を管理する交換管理装置であって、
遊技客が遊技によって獲得した遊技媒体数を取得する取得手段と、
小数点以下を含む端数の遊技媒体数を特定可能な記録媒体を受け付ける受付手段と、
前記取得手段によって取得された遊技媒体数と前記受付手段によって受け付けられた記録媒体から特定される端数の遊技媒体数との合計遊技媒体数に対して物品との交換処理を行う交換処理手段と
を有することを特徴とする交換管理装置。
【請求項７】
前記受付手段は、
前記取得手段によって取得された遊技媒体数が所定の物品と等価な遊技媒体数の倍数でない場合にのみ前記記録媒体を受け付けることを特徴とする請求項６記載の交換管理装置。
【請求項８】
遊技媒体と物品の交換を管理する交換管理方法であって、
遊技媒体を受け付ける受付工程と、
前記受付工程にて受け付けられた遊技媒体数から交換対象の物品と等価な遊技媒体数を減算する交換制御工程と、
前記交換制御工程にて得られる減算結果から小数点以下を含む端数を検出する検出工程と、
前記検出工程にて検出された端数の遊技媒体数を特定可能な記録媒体を発行する発行工程と
を有することを特徴とする交換管理方法。
【請求項９】
遊技媒体と物品の交換を管理する交換管理方法であって、
遊技客が遊技によって獲得した遊技媒体数を取得する取得工程と、
小数点以下を含む端数の遊技媒体数を特定可能な記録媒体を受け付ける受付工程と、
前記取得工程にて取得された遊技媒体数と前記受付工程にて受け付けられた記録媒体から特定される端数の遊技媒体数との合計遊技媒体数に対して物品との交換処理を行う交換処理工程と
を有することを特徴とする交換管理方法。
【発明の詳細な説明】
【技術分野】
【０００１】
本発明は、遊技媒体と物品の交換を管理する交換管理装置および交換管理方法に関し、特に、物品と等価の遊技媒体数が整数でない場合にも、遊技媒体と物品の適正な交換を実現することができる交換管理装置および交換管理方法に関する。
【背景技術】
【０００２】
現在、例えばパチンコ店やパチスロ店などの遊技店においては、玉やメダルなどの遊技媒体を用いた遊技に係る消費税を遊技店が営業利益の中から負担するのが一般的である。しかし、将来的に消費税率が上昇すると、遊技店の負担が大きくなることから、遊技客が自らの遊技に係る消費税を負担するようになると考えられる。
【０００３】
このとき、遊技店内で流通する貨幣の金種が限定されていることなどから、例えば特許文献１に記載されているように、遊技媒体の貸し出し時に貸し出される遊技媒体数を調整して遊技客から消費税を徴収するのが現実的である。すなわち、例えば現在１００円でパチンコに用いられる玉が２５玉貸し出されるところを、１００円で２４玉貸し出されるようにすることにより、玉の税込単価を４円から４．１７（≒１００／２４）円にすることが考えられる。こうすることにより、遊技店では消費税の負担分の一部を遊技客から徴収することができ、営業利益の減少を抑制することができる。
【０００４】
消費税分を遊技客が負担する場合、遊技媒体が貸し出される際の税込単価が現状と比べて上昇することになるため、景品カウンターにおける景品交換時にも、遊技媒体の単価が上昇することになる。すなわち、現在は１玉につき４円相当の景品と交換されるのに対し、上述の調整後には、１玉につき４．１７円相当の景品と交換されるようになる。
【０００５】
このような変化は、景品カウンターのみならず、遊技媒体を無人でタバコや飲料に交換する自動販売機においても同様に現れる。すなわち、遊技店においては、例えば特許文献２などにも記載されているように、遊技媒体を自動販売機に直接投入してタバコなどに交換することが可能となっているが、遊技媒体の税込単価が変化した場合には、このような自動販売機においても物品と交換される遊技媒体数が現状とは異なる。
【０００６】
【特許文献１】特開２００６−１５８６３５号公報
【特許文献２】特開２００５−１３１０１４号公報
【発明の開示】
【発明が解決しようとする課題】
【０００７】
しかしながら、遊技媒体を物品に交換する際、消費税率や遊技店が設定する遊技客の消費税負担割合などによっては、遊技媒体の税込単価（例えば４．１７円）に小数点以下が含まれることとなり、遊技媒体と等価の交換を行うことができないケースが頻発する。つまり、物品の価格に相当する遊技媒体数が整数とならないことが多く、交換される物品の価格によっては、等価交換が不可能となり、適正な遊技媒体と物品の交換が行われないという問題がある。
【０００８】
具体的には、例えば１玉の税込単価が４．１７円である場合に、玉を３２０円のタバコに交換することを考えると、３２０円に相当するのは約７６．７（≒３２０／４．１７）玉であるため、整数でしかやり取りできない遊技媒体とタバコを等価交換することは不可能になる。このため、例えば７６玉や７７玉で３２０円のタバコと交換することが考えられるが、この結果、市場価格が統一されているタバコが遊技店においては一般の市場とは異なる価値を有することになってしまい、不都合が生じる。同様の問題は、タバコ以外の物品についても生じる。
【０００９】
本発明はかかる点に鑑みてなされたものであり、物品と等価の遊技媒体数が整数でない場合にも、遊技媒体と物品の適正な交換を実現することができる交換管理装置および交換管理方法を提供することを目的とする。
【課題を解決するための手段】
【００１０】
上記課題を解決するために、本発明は、遊技媒体と物品の交換を管理する交換管理装置であって、遊技媒体を受け付ける受付手段と、前記受付手段によって受け付けられた遊技媒体数から交換対象の物品と等価な遊技媒体数を減算する交換制御手段と、前記交換制御手段によって得られる減算結果から小数点以下を含む端数を検出する検出手段と、前記検出手段によって検出された端数の遊技媒体数を特定可能な記録媒体を発行する発行手段とを有することを特徴とする。
【００１１】
また、本発明は、上記発明において、前記検出手段は、前記交換制御手段によって得られる減算結果から１未満の端数を検出することを特徴とする。
【００１２】
また、本発明は、上記発明において、前記交換制御手段によって得られる減算結果のうち前記検出手段によって検出される端数以外の整数部分に相当する遊技媒体を返却する返却手段をさらに有することを特徴とする。
【００１３】
また、本発明は、上記発明において、前記受付手段によって受け付けられた遊技媒体数および交換対象の物品と等価な遊技媒体数を表示する表示手段をさらに有することを特徴とする。
【００１４】
また、本発明は、上記発明において、前記表示手段は、交換対象の物品と等価な遊技媒体数が小数点以下を含む場合に、この遊技媒体数より大きい最小の整数を表示することを特徴とする。
【００１５】
また、本発明は、遊技媒体と物品の交換を管理する交換管理装置であって、遊技客が遊技によって獲得した遊技媒体数を取得する取得手段と、小数点以下を含む端数の遊技媒体数を特定可能な記録媒体を受け付ける受付手段と、前記取得手段によって取得された遊技媒体数と前記受付手段によって受け付けられた記録媒体から特定される端数の遊技媒体数との合計遊技媒体数に対して物品との交換処理を行う交換処理手段とを有することを特徴とする。
【００１６】
また、本発明は、上記発明において、前記受付手段は、前記取得手段によって取得された遊技媒体数が所定の物品と等価な遊技媒体数の倍数でない場合にのみ前記記録媒体を受け付けることを特徴とする。
【００１７】
また、本発明は、遊技媒体と物品の交換を管理する交換管理方法であって、遊技媒体を受け付ける受付工程と、前記受付工程にて受け付けられた遊技媒体数から交換対象の物品と等価な遊技媒体数を減算する交換制御工程と、前記交換制御工程にて得られる減算結果から小数点以下を含む端数を検出する検出工程と、前記検出工程にて検出された端数の遊技媒体数を特定可能な記録媒体を発行する発行工程とを有することを特徴とする。
【００１８】
また、本発明は、遊技媒体と物品の交換を管理する交換管理方法であって、遊技客が遊技によって獲得した遊技媒体数を取得する取得工程と、小数点以下を含む端数の遊技媒体数を特定可能な記録媒体を受け付ける受付工程と、前記取得工程にて取得された遊技媒体数と前記受付工程にて受け付けられた記録媒体から特定される端数の遊技媒体数との合計遊技媒体数に対して物品との交換処理を行う交換処理工程とを有することを特徴とする。
【発明の効果】
【００１９】
本発明によれば、遊技媒体を受け付け、受け付けられた遊技媒体数から交換対象の物品と等価な遊技媒体数を減算し、減算結果から小数点以下を含む端数を検出し、検出された端数の遊技媒体数を特定可能な記録媒体を発行する。このため、物品と等価の遊技媒体数が整数でない場合にも、遊技客へ返却できない端数分の遊技媒体数を記録媒体に記録しておき、他の物品との交換時に利用できるようにして遊技客へ還元することができ、遊技媒体と物品の適正な交換を実現することができる。
【００２０】
また、本発明によれば、減算結果から１未満の端数を検出するため、確実に遊技客へ返却できない分のみを端数として検出することができる。
【００２１】
また、本発明によれば、減算結果のうち検出される端数以外の整数部分に相当する遊技媒体を返却するため、交換対象の物品と等価以上の遊技媒体数が受け付けられた場合にも、返却可能な分は再度遊技媒体として遊技客に返却することができる。
【００２２】
また、本発明によれば、受け付けられた遊技媒体数および交換対象の物品と等価な遊技媒体数を表示するため、遊技媒体と物品の交換が正確に実行されていることを目視確認することができる。
【００２３】
また、本発明によれば、交換対象の物品と等価な遊技媒体数が小数点以下を含む場合に、この遊技媒体数より大きい最小の整数を表示するため、遊技媒体数がすべて整数で表示され、物品との交換に用いられた物理的な遊技媒体数を確認しやすくすることができる。
【００２４】
また、本発明によれば、遊技客が遊技によって獲得した遊技媒体数を取得し、小数点以下を含む端数の遊技媒体数を特定可能な記録媒体を受け付け、取得された遊技媒体数と受け付けられた記録媒体から特定される端数の遊技媒体数との合計遊技媒体数に対して物品との交換処理を行う。このため、記録媒体に記録された端数が小さくて物品との交換が不可能である場合にも、端数を他の遊技媒体数と合算した上で物品との交換に利用することができ、遊技媒体と物品の適正な交換を実現することができる。
【００２５】
また、本発明によれば、取得された遊技媒体数が所定の物品と等価な遊技媒体数の倍数でない場合にのみ記録媒体を受け付けるため、例えば計数機によって計数された遊技媒体数がすべて特殊景品に交換可能である場合などには、記録媒体に記録された端数に関する処理を省略することができる。
【発明を実施するための最良の形態】
【００２６】
以下、本発明の一実施の形態について、図面を参照して詳細に説明する。以下においては、主に、パチンコに用いられる玉を遊技媒体とし、遊技媒体と交換される物品をタバコとした場合の例について説明するが、遊技媒体がパチスロに用いられるメダルである場合や、遊技媒体がタバコ以外の物品と交換される場合にも本発明を適用することができる。
【００２７】
図１は、本発明の一実施の形態に係る遊技店の概略構成を示すブロック図である。図１に示す遊技店においては、会員管理ターミナルコントローラ（以下「会員管理Ｔ／Ｃ」と略記する）１０に景品管理装置４０、計数機５０、および島コントローラ６０が接続されており、景品管理装置４０には自販機子機２０（請求項の交換管理装置に相当）が接続され、自販機子機２０にはタバコ交換機３０が併設されている。また、島コントローラ６０には、複数の貸出装置６１が接続されており、それぞれの貸出装置６１には遊技装置６２が併設されている。
【００２８】
会員管理Ｔ／Ｃ１０は、遊技店の会員の会員ＩＤに氏名や生年月日などの属性情報を対応付けて記憶している。また、会員管理Ｔ／Ｃ１０は、各会員が遊技店に預け入れている貯玉または貯メダルなどの遊技媒体数を記憶している。
【００２９】
自販機子機２０は、遊技媒体を受け付け、受け付けられた遊技媒体相当の価値以下のタバコの交換をタバコ交換機３０に許可する。また、自販機子機２０は、受け付けられた遊技媒体数からタバコ交換に用いられた遊技媒体数を減算し、残りの遊技媒体数に含まれる１未満の端数を検出する。そして、自販機子機２０は、残りの遊技媒体数の整数部分に相当する遊技媒体を遊技客へ返却するとともに、残りの遊技媒体数に含まれる端数が記録された端数レシートを発行する。
【００３０】
タバコ交換機３０は、自販機子機２０からタバコ交換が許可されると、遊技客によるタバコの銘柄の選択を待機し、遊技客が希望する銘柄のタバコを投出する。そして、タバコ交換機３０は、タバコを投出したことを示す交換信号を自販機子機２０へ返信する。なお、ここでは自販機子機２０とタバコ交換機３０を別体として構成したが、自販機子機２０およびタバコ交換機３０を一体化することも可能である。
【００３１】
景品管理装置４０は、遊技店の景品カウンターに設置され、遊技媒体の景品交換を管理する。具体的には、景品管理装置４０は、計数機５０によって発行されるレシートおよび自販機子機２０によって発行される端数レシートなどから、遊技客が保有する遊技媒体から交換可能な特殊景品数を算出し、算出された特殊景品数を景品カウンターの従業員に通知したり、実際に特殊景品を発行したりする。また、景品管理装置４０は、特殊景品に交換されない分の遊技媒体について、一般景品との交換処理を行ったり残数レシートを発行したりする。
【００３２】
計数機５０は、遊技客が投入する玉やメダルなどの遊技媒体を計数し、計数結果が記録されたレシートを発行する。レシートには、遊技媒体数が印字されていても良いし、磁気記憶されていても良い。さらに、レシートには、レシートＩＤのみが記録されており、計数結果は、景品管理装置４０によって参照可能な外部（例えば会員管理Ｔ／Ｃ１０など）にレシートＩＤに対応付けられて記憶されていても良い。
【００３３】
島コントローラ６０は、「島」と呼ばれる区域に設置された複数の貸出装置６１と会員管理Ｔ／Ｃ１０との間のやり取りを中継し、例えば貸出装置６１に会員カードが受け付けられていれば、会員ＩＤを貸出装置６１から受信して会員管理Ｔ／Ｃ１０へ送信し、この会員ＩＤに対応する貯玉数や貯メダル数を会員管理Ｔ／Ｃ１０から受信して貸出装置６１へ送信する。
【００３４】
貸出装置６１は、玉やメダルなどの遊技媒体の貸出処理を行う。すなわち、貸出装置６１は、例えば貨幣やプリペイドカードを受け付けて、これらの価値と等価のメダルの貸出処理を行う。プリペイドカードが受け付けられる場合には、貸出装置６１は、図示しないカードターミナルコントローラなどに接続されており、プリペイドカードに関連付けられた価値がカードターミナルコントローラにおいて管理される。また、貸出装置６１は、会員カードを受け付けた場合には、会員管理Ｔ／Ｃ１０に記憶された貯玉数や貯メダル数を上限とした貯玉または貯メダルの貸出処理を行っても良い。遊技装置６２は、貸出装置６１の貸出処理によって借り受けた遊技媒体を用いて遊技客が遊技を行う装置である。
【００３５】
ここで、自販機子機２０およびタバコ交換機３０の外観について、図２を参照しながら説明する。
【００３６】
自販機子機２０の前面には、玉やメダルなどの遊技媒体を受け付ける遊技媒体受付部２０１が設けられており、遊技媒体受付部２０１に受け付けられた遊技媒体によってタバコ交換機３０からタバコが投出される一連の処理中に、受け付けられた遊技媒体数などの情報が表示部２０２に表示される。タバコ交換機３０によって投出されるタバコの価値を超過する遊技媒体数が遊技媒体受付部２０１に受け付けられた場合には、余剰の遊技媒体数の整数部分については、遊技媒体返却部２０４から返却され、小数部分の端数については、端数レシート発行部２０３から端数が記録された端数レシートが発行される。
【００３７】
一方、タバコ交換機３０の前面には、複数の銘柄のタバコのサンプルが並べられ、各サンプルに対応する選択ボタンが設けられたディスプレイ部３０１が形成されており、自販機子機２０からの許可により交換可能な銘柄のタバコの選択ボタンが点灯するようになっている。遊技客は、ディスプレイ部３０１の点灯した希望銘柄の選択ボタンを押下し、タバコ投出部３０２へ投出されるタバコを手に入れることができる。
【００３８】
図３は、本実施の形態に係る自販機子機２０の要部構成を示すブロック図である。図３に示す自販機子機２０は、遊技媒体受付部２０１、表示部２０２、端数レシート発行部２０３、遊技媒体返却部２０４、計数部２０５、交換制御部２０６、接続部２０７、および端数検出部２０８を有している。
【００３９】
遊技媒体受付部２０１は、タバコへの交換を希望する遊技客が持参する遊技媒体を受け付け、受け付けられた遊技媒体を計数部２０５へ移送する。
【００４０】
表示部２０２は、端数検出部２０８からの指示に従って、遊技媒体受付部２０１に受け付けられた遊技媒体数や遊技客へ返却される遊技媒体数などを表示する。このとき、表示部２０２は、例えばタバコと等価な遊技媒体数が小数点以下を含む数字であっても小数点以下を切り上げ、遊技媒体数を整数で表示する。具体的には、表示部２０２は、例えば図４−１に示すように、遊技媒体受付部２０１によって受け付けられた遊技媒体数を「投入玉数：８０玉」などと表示し、このうちタバコとの交換に用いられた遊技媒体数を「預かり玉数：７７玉」などと整数で表示する。ただし、実際にタバコと等価な遊技媒体数は、例えばタバコが３２０円かつ１玉が税込４．１７円である場合、およそ７６．７（≒３２０／４．１７）玉である。しかし、遊技媒体数に小数点以下が含まれるのは違和感があるため、表示部２０２は、「預かり玉数：７７玉」および「返却玉数：３玉」などと遊技媒体数を整数表示し、小数点以下については「端数（０．３玉）分のレシートをお受け取り下さい。」などと端数レシートの発行を遊技客に通知する。
【００４１】
なお、表示部２０２は、例えば図４−２に示すように、タバコと等価な遊技媒体数が小数点以下を含む場合でも「交換玉数：７６．７玉」などのように端数をそのまま表示しても良い。
【００４２】
端数レシート発行部２０３は、端数検出部２０８によって検出される端数が記録された端数レシートを発行する。このとき、端数レシート発行部２０３は、端数が直接印字されたり、磁気記憶されたりする端数レシートを発行しても良いが、端数レシートには端数レシートＩＤのみが記録されており、実際の端数は、例えば会員管理Ｔ／Ｃ１０や景品管理装置４０などの外部に端数レシートＩＤに対応付けられて記憶されていても良い。また、端数レシート発行部２０３は、端数レシートの有効期限を計数機５０によって発行される通常のレシートより長くしても良い。すなわち、計数機５０によって発行されるレシートは、通常発行当日に限り有効であるが、記録される遊技媒体数が１未満と小さい端数レシートに関しては、偽造される危険性も小さいことから、有効期限を発行の翌日以降としても良い。特に、端数レシートに端数レシートＩＤのみが記録される場合は、例えば有効期限を発行から１週間程度と長く設定しても良い。
【００４３】
遊技媒体返却部２０４は、端数検出部２０８からの通知に従って、遊技媒体受付部２０１によって受け付けられた遊技媒体のうちタバコとの交換に利用されなかった遊技媒体を遊技客へ返却する。すなわち、遊技媒体返却部２０４は、タバコ交換後に余った遊技媒体数の整数部分に相当する遊技媒体を遊技客へ返却する。
【００４４】
計数部２０５は、遊技媒体受付部２０１から移送される遊技媒体を計数し、得られた遊技媒体数を交換制御部２０６へ通知する。
【００４５】
交換制御部２０６は、タバコ交換機３０にて交換可能なタバコの各銘柄に相当する遊技媒体数を確認し、計数部２０５から通知される遊技媒体数で交換可能な銘柄のタバコの交換を許可する許可信号を接続部２０７からタバコ交換機３０へ送信させる。そして、交換制御部２０６は、タバコが遊技客へ提供された旨の交換信号が接続部２０７によって受信されると、計数部２０５から通知される遊技媒体数からタバコと等価な遊技媒体数を減算し、タバコ交換後に余った遊技媒体数を端数検出部２０８へ出力する。
【００４６】
接続部２０７は、タバコ交換機３０と接続され、タバコ交換機３０との間で種々の信号を送受信する。具体的には、接続部２０７は、交換制御部２０６によって遊技媒体のタバコ交換が許可されると許可信号をタバコ交換機３０へ送信し、タバコ交換機３０によってタバコ交換が実行されると交換信号を受信する。
【００４７】
端数検出部２０８は、交換制御部２０６から余剰の遊技媒体数が出力されると、この遊技媒体数に含まれる小数部分の端数を検出し、得られた端数を端数レシート発行部２０３へ出力する。また、端数検出部２０８は、余剰の遊技媒体数の整数部分を遊技媒体返却部２０４へ通知する。さらに、端数検出部２０８は、遊技媒体受付部２０１によって受け付けられた遊技媒体数、タバコ交換に用いられた遊技媒体数、遊技媒体返却部２０４から返却される遊技媒体数、および端数レシートに記録される端数を表示部２０２に表示するよう指示する。
【００４８】
次いで、上記のように構成された自販機子機２０によるタバコ交換時の動作について、図５に示すフロー図を参照しながら説明する。なお、ここでは、パチンコに用いられる玉がタバコに交換される際の動作を説明する。
【００４９】
玉をタバコに交換する遊技客は、自販機子機２０およびタバコ交換機３０の設置場所へ玉を持参し、自販機子機２０に投入する。投入された玉は、遊技媒体受付部２０１によって受け付けられ（ステップＳ１０１）、計数部２０５によって計数される（ステップＳ１０２）。そして、交換制御部２０６によって、計数部２０５によって計数された玉数がタバコと交換するのに不足するか否かが判定され（ステップＳ１０３）、不足する場合には（ステップＳ１０３Ｙｅｓ）、さらに遊技媒体受付部２０１への玉の投入が待機される。
【００５０】
一方、玉数がタバコと交換可能な数に達していれば（ステップＳ１０３Ｎｏ）、交換可能な銘柄のタバコ交換を許可する許可信号が接続部２０７からタバコ交換機３０へ送信され、タバコ交換の許可が通知される（ステップＳ１０４）。許可信号を受信したタバコ交換機３０では、ディスプレイ部３０１の選択ボタンが点灯し、遊技客が点灯した選択ボタンから希望の銘柄の選択ボタンを押下することにより、この銘柄のタバコがタバコ投出部３０２から投出される。そして、タバコ交換機３０からタバコ交換が実行されたことを示す交換信号が送信され、接続部２０７によって受信される（ステップＳ１０５）。
【００５１】
交換信号が接続部２０７によって受信されると、交換制御部２０６によって、計数部２０５によって計数された玉数からタバコ交換に用いられた玉数が減算され、得られた余剰の玉数が端数検出部２０８へ出力される。そして、端数検出部２０８によって、余剰の玉数に含まれる小数部分の端数が検出される（ステップＳ１０６）。具体的には、例えば遊技媒体受付部２０１に８０玉が投入され、交換されるタバコと等価の玉数が７６．７玉である場合、余剰の玉数は３．３（＝８０−７６．７）玉であるため、端数は０．３玉と検出される。
【００５２】
また、端数検出部２０８によって端数が検出されると、遊技媒体受付部２０１によって受け付けられた玉数、余剰の玉数、および端数などが表示部２０２へ出力され、これらを表示するように指示される。この指示を受け、表示部２０２には、投入された玉数、タバコ交換に用いられた預かり玉数、余剰の玉数のうち返却される玉数、および端数などが表示される（ステップＳ１０７）。具体的には、例えば図４−１に示したように、投入玉数や預かり玉数が整数で表示され、端数については、端数レシートに記録される旨が表示される。
【００５３】
そして、端数検出部２０８から余剰の玉数の整数部分が遊技媒体返却部２０４へ通知され、遊技媒体返却部２０４によって、通知された玉数（上述の例では３玉）が遊技客へ返却される（ステップＳ１０８）。さらに、端数検出部２０８から端数が端数レシート発行部２０３へ出力され、端数レシート発行部２０３によって、端数が記録された端数レシートが発行される（ステップＳ１０９）。なお、端数レシート発行部２０３によって発行される端数レシートには、端数そのものが記録されても良く、端数と対応付けられる端数レシートＩＤのみが記録されても良い。また、これらの端数レシートについては、計数機５０によって発行されるレシートよりも有効期限を長くしても良い。
【００５４】
こうして発行された端数レシートは、計数機５０によって発行された通常のレシートなどとともに例えば景品カウンターなどへ持参されると、通常のレシートに記録された玉数に端数の玉数が加算され、端数を含めた合計の玉数に対して景品交換が行われることにより端数が遊技客へ還元される。このため、自販機子機２０およびタバコ交換機３０によるタバコ交換では、正確にタバコと玉の等価交換が行われたことになり、物品と等価の遊技媒体数が整数でない場合にも、遊技媒体と物品の適正な交換を実現することができる。
【００５５】
次に、端数レシートが持ち込まれる景品カウンターなどに設置される景品管理装置４０について説明する。図６は、本実施の形態に係る景品管理装置４０の要部構成を示すブロック図である。図６に示す景品管理装置４０は、レシート受付部４０１、端数レシート受付部４０２、景品交換処理部４０３、表示部４０４、操作部４０５、残数レシート発行部４０６、および保存制御部４０７を有している。
【００５６】
レシート受付部４０１は、計数機５０によって発行される通常のレシートを受け付け、このレシートに記録されている遊技媒体数を景品交換処理部４０３へ通知する。すなわち、レシート受付部４０１は、遊技客が遊技によって獲得した遊技媒体数をレシートから取得し、景品交換処理部４０３へ通知する。なお、計数機５０によって発行されるレシートには、遊技媒体数が直接記録されていても良いし、遊技媒体数に対応付けられたレシートＩＤのみが記録されていても良い。
【００５７】
端数レシート受付部４０２は、自販機子機２０によって発行される端数レシートを受け付け、この端数レシートに記録されている端数の遊技媒体数を景品交換処理部４０３へ通知する。また、端数レシート受付部４０２は、景品管理装置４０の残数レシート発行部４０６によって発行される残数レシートを受け付け、この残数レシートに記録されている残数の遊技媒体数を景品交換処理部４０３へ通知する。なお、残数レシートには、景品交換処理されずに残った遊技媒体数が記録されている。
【００５８】
景品交換処理部４０３は、レシート受付部４０１および端数レシート受付部４０２から通知される遊技媒体数を合計し、合計の遊技媒体数に対して特殊景品や一般景品との景品交換処理を行う。すなわち、景品交換処理部４０３は、合計の遊技媒体数から交換可能な特殊景品数を算出したり、合計の遊技媒体数から一般景品と等価な遊技媒体数を減算したりする。そして、景品交換処理部４０３は、合計の遊技媒体数や算出された特殊景品数などを表示部４０４に表示させ、操作部４０５からの指示に従って、景品交換されずに残った遊技媒体数を残数レシート発行部４０６または保存制御部４０７へ出力する。
【００５９】
表示部４０４は、合計の遊技媒体数や合計の遊技媒体数から算出された特殊景品数などを表示する。また、表示部４０４は、景品交換されずに遊技媒体が残った場合には、この残数を表示し、残数に対する処理について操作部４０５を操作するよう従業員に促す。
【００６０】
操作部４０５は、景品カウンターの従業員が操作するようになっており、遊技客が交換を希望する一般景品と等価な遊技媒体数が入力されたり、表示部４０４に表示された遊技媒体の残数をどのように処理するかに関する選択が入力されたりする。具体的には、操作部４０５は、景品交換されずに残った遊技媒体の残数を遊技客に対応付けて保存しておくか残数レシートに記録して発行するかに関する選択を受け付け、残数をいずれかの方法で処理するように景品交換処理部４０３へ指示する。
【００６１】
残数レシート発行部４０６は、景品交換処理部４０３によって景品交換されずに残った遊技媒体の残数が記録された残数レシートを発行する。このとき、残数レシート発行部４０６は、残数が直接印字されたり、磁気記憶されたりする残数レシートを発行しても良いが、残数レシートには残数レシートＩＤのみが記録されており、実際の残数は、例えば会員管理Ｔ／Ｃ１０や景品管理装置４０などに残数レシートＩＤに対応付けられて記憶されていても良い。また、残数レシート発行部４０６は、残数レシートの有効期限を計数機５０によって発行される通常のレシートより長くしても良い。
【００６２】
保存制御部４０７は、例えば景品交換を行った遊技客が遊技店に登録された会員である場合、会員カードに記録された会員ＩＤと景品交換されずに残った遊技媒体の残数とを対応付け、例えば会員管理Ｔ／Ｃ１０などに保存させる。なお、保存制御部４０７は、残数を会員管理Ｔ／Ｃ１０に記憶されている通常の貯玉数や貯メダル数に加算して記憶させても良い。このとき、保存制御部４０７は、残数に含まれる端数については、整数の貯玉数や貯メダル数とは別に保存しておくようにしても良い。こうすることにより、会員管理Ｔ／Ｃ１０に記憶される貯玉数や貯メダル数が常に整数となり、物理的に引き落とせない貯玉数や貯メダル数となることがない。
【００６３】
次いで、上記のように構成された景品管理装置４０の動作について、２通りの処理方法をそれぞれ図７および図８に示すフロー図を参照しながら説明する。図８において、図７と同じ部分には同じ符号を付す。なお、ここでは、パチンコに用いられる玉数がレシートに記録されている際の動作を説明する。
【００６４】
まず１つ目の処理方法においては、図７に示すように、計数機５０によって発行される通常のレシートと自販機子機２０によって発行される端数レシートとがあらかじめ受け付けられる。すなわち、レシート受付部４０１によって、計数機５０によって発行された通常のレシートが受け付けられ（ステップＳ２０１）、引き続き端数レシート受付部４０２によって、自販機子機２０によって発行された端数レシートが受け付けられる（ステップＳ２０２）。このとき、端数レシート受付部４０２によって、残数レシート発行部４０６によって発行された残数レシートも同時に受け付けられる。
【００６５】
これらのレシートからは、それぞれ玉数が特定可能であるため、景品交換処理部４０３によって、すべてのレシートから特定される玉数が加算される（ステップＳ２０３）。そして、景品交換処理部４０３によって、合計の玉数について景品交換処理が行われる（ステップＳ２０４）。すなわち、合計の玉数から交換可能な特殊景品数が算出されたり、遊技客が交換を希望する一般景品と等価な玉数が減算されたりする。この過程で、合計の玉数や算出された特殊景品数などは、表示部４０４に表示される。
【００６６】
そして、景品交換処理部４０３によって、合計の玉数のうち特殊景品にも一般景品にも交換されない残数があるか否かが判定される（ステップＳ２０５）。この結果、残数がなければ（ステップＳ２０５Ｎｏ）、遊技客が保有するすべての玉が景品交換されたことになり、処理が完了する。また、残数があれば（ステップＳ２０５Ｙｅｓ）、表示部４０４に残数が表示され、この残数を保存するか残数レシートを発行するかの選択が従業員に促される。従業員は、遊技客の意志を確認し、操作部４０５を操作して保存または残数レシート発行のいずれかを選択する。操作部４０５では、残数レシートの発行が要求されたか否かが判断され（ステップＳ２０６）、残数レシート発行が選択されていれば（ステップＳ２０６Ｙｅｓ）、操作部４０５から景品交換処理部４０３へ、残数を残数レシート発行部４０６へ出力するように指示される。残数が残数レシート発行部４０６へ出力されると、残数レシート発行部４０６によって、残数が記録された残数レシートが発行される（ステップＳ２０７）。
【００６７】
こうして発行された残数レシートは、次回以降、計数機５０によって発行された通常のレシートなどとともに景品管理装置４０に受け付けられると、通常のレシートに記録された玉数に残数の玉数が加算され、残数を含めた合計の玉数に対して景品交換が行われることにより残数が遊技客へ還元される。
【００６８】
一方、操作部４０５において残数レシート発行が選択されていなければ（ステップＳ２０６Ｎｏ）、操作部４０５から景品交換処理部４０３へ、残数を保存制御部４０７へ出力するように指示される。残数が保存制御部４０７へ出力されると、保存制御部４０７によって、例えば会員カードに記録された会員ＩＤなどが要求され、会員ＩＤに残数が対応付けられた上で例えば会員管理Ｔ／Ｃ１０などに保存される（ステップＳ２０８）。なお、会員ＩＤと残数は、景品管理装置４０に保存されても良い。また、会員管理Ｔ／Ｃ１０に記憶されている通常の貯玉数に残数が加算されるようにしても良い。さらに、残数に対応付けられるのは、会員ＩＤ以外でも遊技客を特定可能な情報であれば良く、例えば指紋や顔画像などの生体情報でも良い。
【００６９】
次に２つ目の処理方法においては、図８に示すように、計数機５０によって発行される通常のレシートのみがあらかじめ受け付けられる。すなわち、レシート受付部４０１によって、計数機５０によって発行された通常のレシートが受け付けられ（ステップＳ２０１）、レシートから特定される玉数が景品交換処理部４０３へ通知される。そして、景品交換処理部４０３によって、通知された玉数から交換可能な特殊景品数が算出される（ステップＳ３０１）。
【００７０】
そして、景品交換処理部４０３によって、レシート受付部４０１から通知された玉数のうち特殊景品との交換可能数には満たない残数があるか否かが判定される（ステップＳ３０２）。この結果、残数がなければ（ステップＳ３０２Ｎｏ）、遊技客が遊技によって獲得したすべての玉が特殊景品に交換可能であり、特殊景品が発行された上で処理が完了する。また、残数があれば（ステップＳ３０２Ｙｅｓ）、例えば表示部４０４に端数レシートや残数レシートを要求するメッセージが表示され（ステップＳ３０３）、端数レシート受付部４０２によって端数レシートおよび残数レシートが受け付けられる（ステップＳ３０４）。
【００７１】
これらのレシートからは、それぞれ端数や残数の玉数が特定可能であるため、景品交換処理部４０３によって、端数レシートおよび残数レシートから特定されるすべての玉数が既にレシート受付部４０１から通知されている玉数に加算される（ステップＳ２０３）。そして、景品交換処理部４０３によって、合計の玉数について景品交換処理が行われる（ステップＳ２０４）。すなわち、合計の玉数から交換可能な特殊景品数が算出されたり、遊技客が交換を希望する一般景品と等価な玉数が減算されたりする。この過程で、合計の玉数や算出された特殊景品数などは、表示部４０４に表示される。
【００７２】
そして、景品交換処理部４０３によって、合計の玉数のうち特殊景品にも一般景品にも交換されない残数があるか否かが判定される（ステップＳ２０５）。この結果、残数がなければ（ステップＳ２０５Ｎｏ）、遊技客が保有するすべての玉が景品交換されたことになり、処理が完了する。また、残数があれば（ステップＳ２０５Ｙｅｓ）、表示部４０４に残数が表示され、この残数を保存するか残数レシートを発行するかの選択が従業員に促される。従業員は、遊技客の意志を確認し、操作部４０５を操作して保存または残数レシート発行のいずれかを選択する。操作部４０５では、残数レシートの発行が要求されたか否かが判断され（ステップＳ２０６）、残数レシート発行が選択されていれば（ステップＳ２０６Ｙｅｓ）、操作部４０５から景品交換処理部４０３へ、残数を残数レシート発行部４０６へ出力するように指示される。残数が残数レシート発行部４０６へ出力されると、残数レシート発行部４０６によって、残数が記録された残数レシートが発行される（ステップＳ２０７）。
【００７３】
この２つ目の処理方法においては、１つ目の処理方法と異なり、計数機５０によって発行される通常のレシートから特定される玉数がすべて特殊景品と交換可能であれば、その時点で特殊景品が発行され処理が完了する。換言すれば、遊技客が遊技によって獲得した玉数が特殊景品と等価な玉数の倍数であれば、特殊景品が発行され処理が完了する。このため、通常のレシートから特定される玉数がすべて特殊景品と交換可能である場合に、無駄な処理を行ったり、受け付けた端数レシートと同様の残数レシートを発行したりすることがない。
【００７４】
これらの処理方法において、自販機子機２０によって発行された端数レシートを受け付けることにより、タバコ交換時に自販機子機２０へ投入した玉数のうちタバコ交換に用いられなかった１玉未満の端数を景品交換することができ、遊技媒体と物品の適正な交換を実現することができる。
【００７５】
以上のように、本実施の形態によれば、遊技媒体を直接投入してタバコに交換する場合に、タバコと等価な遊技媒体数が整数でなければ、等価な遊技媒体数より大きい最小の整数分の遊技媒体によってタバコ交換を行い、等価な遊技媒体数を超える分については端数レシートに記録して発行する。そして、端数レシートに記録された端数は、通常のレシートに記録された遊技媒体数などと加算されて景品交換される。このため、遊技客へ返却することが物理的に不可能な小数点以下を含む遊技媒体数が遊技客へ還元されることになり、物品と等価の遊技媒体数が整数でない場合にも、遊技媒体と物品の適正な交換を実現することができる。
【００７６】
なお、上記一実施の形態においては、自販機子機２０において検出される端数が端数レシートに記録されるものとしたが、端数は端数レシート以外の様々な記録媒体に記録することが可能である。すなわち、例えば端数記録用のカードやコインなどに端数が記録されるようにすることも可能である。
【００７７】
また、上記一実施の形態においては、端数レシートが景品管理装置４０において受け付けられるものとしたが、自販機子機２０が端数レシートを受け付けるようにしても良い。すなわち、自販機子機２０は、直接投入される遊技媒体数と端数レシートに記録された端数の遊技媒体数とを合計し、合計の遊技媒体数に対してタバコ交換機３０によるタバコ交換を行うようにしても良い。
【００７８】
さらに、上記一実施の形態においては、計数機５０によって通常のレシートが発行され、景品管理装置４０によって通常のレシートが受け付けられるものとしたが、例えば計数機５０によって計数された遊技媒体数が直接景品管理装置４０へ送信されるようにしても良い。要するに、景品管理装置４０が、遊技客が遊技によって獲得した遊技媒体数を取得できれば良い。
【産業上の利用可能性】
【００７９】
本発明は、物品と等価の遊技媒体数が整数でない場合にも、遊技媒体と物品の適正な交換を実現する場合に適用することができる。
【図面の簡単な説明】
【００８０】
【図１】一実施の形態に係る遊技店の概略構成を示す図である。
【図２】一実施の形態に係る自販機子機およびタバコ交換機の外観を示す正面図である。
【図３】一実施の形態に係る自販機子機の要部構成を示すブロック図である。
【図４−１】一実施の形態に係る自販機子機における表示例を示す図である。
【図４−２】一実施の形態に係る自販機子機における他の表示例を示す図である。
【図５】一実施の形態に係る自販機子機のタバコ交換時の動作を示すフロー図である。
【図６】一実施の形態に係る景品管理装置の要部構成を示すブロック図である。
【図７】一実施の形態に係る景品管理装置の景品交換動作を示すフロー図である。
【図８】一実施の形態に係る景品管理装置の他の景品交換動作を示すフロー図である。
【符号の説明】
【００８１】
２０１  遊技媒体受付部
２０２  表示部
２０３  端数レシート発行部
２０４  遊技媒体返却部
２０５  計数部
２０６  交換制御部
２０７  接続部
２０８  端数検出部
４０１  レシート受付部
４０２  端数レシート受付部
４０３  景品交換処理部
４０４  表示部
４０５  操作部
４０６  残数レシート発行部
４０７  保存制御部
【図１】
2008073250.tif 000003
【図２】
2008073250.tif 000004
【図３】
2008073250.tif 000005
【図４−１】
2008073250.tif 000006
【図４−２】
2008073250.tif 000007
【図５】
2008073250.tif 000008
【図６】
2008073250.tif 000009
【図７】
2008073250.tif 000010
【図８】
2008073250.tif 000011